(57)【要約】【課題】ガン吐出方法での利点を活かしながらガンによってブランクの搬送方向に直交する方向に糊を塗布し、ブランクの搬送方向に直交する方向に沿って連続する貼り合わせ部分が得られるようにする。【解決手段】ブランクが搬送される搬送路上に、搬送路側に向けて糊の吐出が可能なガン２と、ブランクの糊塗布予定部８におけるフランク搬送方向Ｘに直交する直交方向Ｙでの何れか一方の端部にガン２を対応させ、糊塗布予定部８のブランク搬送方向Ｘでの移動に同期してガン２をブランク搬送方向Ｘに移動させるとともに、糊塗布予定部８のもう一方の端部に対応する位置までガン２を直交方向Ｙに移動させる移動支持手段３とを配置して、ブランク搬送方向Ｘに移動中のブランクａの糊塗布予定部８に、ガン２からの糊の吐出により糊塗布予定部８に線状にして糊を塗布する。【選択図】図２
2008273143.tif 000002
【特許請求の範囲】
【請求項１】
面板とこの面板に折り罫を介して折り重ね可能に連接された重ね面板とを有するカートン用のブランクが一方向に順次搬送され、搬送されるブランクの前記面板と前記重ね面板とを折り重ねしたときに対向する対向面に設けた糊塗布予定部に、前記面板と前記重ね面板との折り重ねをして貼り合わせるための糊を塗布する糊塗布装置であって、
ブランクが搬送される搬送路上に位置してこの搬送路側に向けて糊の吐出が可能なガンと、ブランクの前記糊塗布予定部におけるブランク搬送方向に直交する直交方向での何れか一方の端部に対応して前記ガンを位置させ、前記糊塗布予定部のブランク搬送方向での移動に同期して前記ガンをブランク搬送方向に移動させるとともに、前記糊塗布予定部のもう一方の端部に対応する位置まで前記ガンを前記直交方向に移動させる移動支持手段とを備えて、
ブランク搬送方向に移動中のブランクの糊塗布予定部に、前記ガンからの糊の吐出により糊塗布予定部での前記直交方向に沿って線状にして糊を塗布する構成としたことを特徴とする糊塗布装置。
【請求項２】
面板とこの面板に折り罫を介して折り重ね可能に連接された重ね面板とを有するカートン用のブランクが一方向に順次搬送され、搬送されるブランクの前記面板と前記重ね面板とを折り重ねしたときに対向する対向面に設けた糊塗布予定部に、前記面板と前記重ね面板との折り重ねをして貼り合わせるための糊を塗布する糊塗布方法であって、
前記糊塗布予定部はブランク搬送方向に直交する直交方向に沿っていて、
前記ブランクが搬送される搬送路上に、この搬送路側に向けて糊の吐出が可能なガンと、ブランクの前記糊塗布予定部における前記直交方向での何れか一方の端部に対応して前記ガンを位置させ、前記糊塗布予定部のブランク搬送方向での移動に同期して前記ガンをブランク搬送方向に移動させるとともに、前記糊塗布予定部のもう一方の端部に対応する位置まで前記ガンを前記直交方向に移動させる移動支持手段とを配置して、
ブランク搬送方向に移動中のブランクの糊塗布予定部に、前記ガンからの糊の吐出により糊塗布予定部での前記直交方向に沿って線状にして糊を塗布することを特徴とする糊塗布方法。
【発明の詳細な説明】
【技術分野】
【０００１】
本発明はカートン用のブランクに対して糊を塗布する糊塗布装置と糊塗布方法に関するものである。
【背景技術】
【０００２】
従来からブランクを組み起こしてカートンを製函するに際して、重ね合わせて連結する部分は接着剤を用いて貼り合わせしている。例えば胴部の貼り合せ（サック貼り）では、製函ラインの搬送路にブランクを順次送り出し、糊代と糊代の対応部分とが糊を介して相対するように折り畳んで糊代の貼り合わせを行なっている。
一般的に糊代に糊を供給する場合、例えば特許文献１などに示されているように搬送路の途中でブランクそれぞれの糊代に糊を塗布している。また、特許文献２などに示されているようにその糊代に線状に糊を塗布する場合にはホイールを使用したり、特許文献３に示されているように先端のノズルから糊を吐出して線状に塗布するガンも多く採用されている。このようにして胴部が形成された後には、胴部の板材それぞれの上下端に連続しているフラップなどを折り倒して重ね合わせ、必要に応じて貼り合わせるようにすることでブロック状のカートンが得られる。
【０００３】
また、ブランクから最終のカートン形態まで連続しては組み起こさずに上記サック貼りされた偏平なスリーブにするスリーブ製造工程と、前記スリーブを充填装置にセットしてカートン底部の形成を行ない、つぎに収容物の充填を行ない、上フラップを折り畳んで貼り付けて上部閉鎖する充填工程とに分ける方法も多くある。
【０００４】
ところで、製函されるカートンの一形態として上部を開放して広い開口部が得られるようにしているものがある。例えば、粉洗剤を収容した製品の箱本体などであり、上面を開放したブロック状の形態となるカートンが多く採用されている。このようなカートンを用いる容器では別途の蓋材などを被せ付けるようにしている。そして、カートン自体では、開口周縁の剛性を高めるために、胴部四方の板材の上縁に補強フラップを連接し、この補強フラップそれぞれを前記各板材の内面（容器内方側）に折り倒して貼り付けている。
【０００５】
図３は上述のようにカートンの開口周縁の強度を高める工夫があるブランクを示している。
このブランクａはカートンの胴部を形成する部分として正面板ｂの両側に側面板ｃを連接し、一方の側面板ｃには背面板ｄが連接され、さらにその背面板ｄの一方の側辺に糊代片ｅが連接されていて、図示のように折り罫ｆを介して一方側から側面板ｃ、正面板ｂ、側面板ｃ、背面板ｄ、糊代片ｅが順に連接されている。また、前記胴部形成の各面板の下辺に折り罫ｆを介して、カートン底部を形成するための底部形成フラップｇがそれぞれ連接されている。そして、開口周縁の強度を高める補強フラップｈが、胴部四方の各面板の上辺に折り罫ｆを介して重ね面板として連接されている。
【０００６】
このブランクａを折り畳みして偏平なスリーブを作成するときに、胴部の各面板ｃ、ｂ、ｃ、ｄに上記補強フラップｈを貼り合わせている。その貼り合わせをするために、正面板ｂとこれに連接する補強フラップｈとを折り合わせたときに対向する両対向面に跨るようにして、また、側面板ｃとこれに連接する補強フラップｈとの両対向面に跨るようにして、さらには背面板ｄとこれに連接する補強フラップｈとの両対向面に跨るようにして糊ｉを塗布している。この糊が供給された後に折り罫ｆから補強フラップｈを前記各面板ｃ、ｂ、ｃ、ｄの内面側に折り倒している。
【０００７】
（ガン吐出方法）
このようにブランクａでの重ね合わせたときに対向する対向面などの必要部分に糊を塗布する方法、特に連続的に多くのスリーブを作成するシステムに適応した糊の塗布としてガン吐出方法がある。
このガン吐出方法に用いられるガンは、小孔が開いているノズルに糊を加圧して送り込むとともに、ノズル側でその供給通路を開閉制御しながら吐出と吐出停止とを瞬時に切り換えできる装置であり、一定速度で移動するブランクに向けて吐出を連続させることで線状に糊を塗布し、ブランクが通過して次のブランクが対応するまでの間は糊の吐出を止めることができる。
【０００８】
糊をガン吐出方法でブランクに対して塗布する場合、まず、ブランクａの搬送路で図４に示すように搬送用のベルトｊでブランクａを順次連続的にして一方向に送り出すようにして、送り出し方向の下流側に糊供給機構ｋを設けている。この糊供給機構ｋは、下端に配したノズルから糊を吐出する複数のガンｌを搬送路の幅方向に並べ設けたものであり、順次一定の速度で送り出されてくるブランクａを、糊供給機構ｋの上流側に設置されている光学的センサなどによって検知し、検知されたブランクａが糊供給機構ｋの下に位置するタイミングでこの糊供給機構ｋが動作し、各ガンｌの下に上記補強フラップとこれに連接する面板（カートン胴部四方の面板）との両対向面が通るときに、その対向面領域内にガンｌから糊を連続して吐出し、フラップの送り方向に短い長さで線状にして糊ｉが施されるように制御されている（図４において一体のガンが図示されているが、図面奥行方向に複数が並んでいる）。ガン自体は、上述したようにブランクの所定部分が通過するまでの間が糊の連続吐出状態（その結果、ブランクでは糊が線状に塗布される）となり、つぎの所定部分が対応位置するまでの間は吐出停止にして非吐出状態となる。即ち、ガンは、順次搬送されてくるブランクが対応位置する毎にそのブランクの定められた部分に向けて糊を吐出していて、連続吐出状態と連続非吐出状態とが交互となる動作をしている。
このようにして糊が吐出供給されたブランクが糊供給機構の位置から送り出された後には、補強フラップｈの折り畳みをし、その折り畳まれた箇所を加圧ローラなどで挟み込んだ状態で圧力を加えることで補強フラップｈが胴部の面板の内面側に貼り付けられる。
【０００９】
カートンの一つの形態として、蓋材の一部分を正面板側に係脱可能に係止させるようにした構造を有するものがあり、図５に示すようにこの場合のブランクａでは正面板ｂに蓋材が係脱可能に係止する部位を設けるために、正面板ｂに透孔ｎを開口し、折り合わせる補強フラップｈでこの透孔ｎをカートン内方から塞ぐようにしていて、これによって外方に向けて臨む係止用の凹所を形成している。
このように正面板に透孔を開口して蓋材を係止させる部位を設ける場合、商品流通時などで収容物の粉洗剤が補強フラップと正面板との隙間に入り込んで透孔から漏れ出る不具合が生じないようにする必要がある。
この透孔からの漏れ出しを防止するには、補強フラップと正面板との貼り合わせ箇所で透孔の位置を囲むようにすることが有効となる。しかしながら、上述したガン吐出方法での糊供給ではブランクの搬送方向に沿って糊が線状に塗布されるのみであるため、つぎのパターン転写方法によって糊の供給を行なっている。
【００１０】
（パターン転写方法）
パターン転写方法で糊を供給する場合、まず、ブランクａの搬送路に図６に示すように一定間隔で位置出し爪ｏを有する送りチェーンｐを設けて、この送りチェーンｐでブランクａの送り間隔を正確に揃えて搬送している。そして、送りチェーンｐの送り出し側に糊供給機構ｑを設けている。
パターン転写方法での糊供給機構ｑは、周面のドラム周方向に一定の間隔にして糊版ｒを配している糊ドラムｓに図示しない糊壷から糊を移し、回転する糊ドラムｓの糊版ｒがその下に送り出されてくるブランクａを押圧し、ブランクａの搬送移動と糊ドラムｓの回転とが同期した状態で糊版ｒからブランクａそれぞれの同一位置に糊を転写している。この場合、ブランクａの送り間隔と、周方向に配置されている糊版ｒの間隔とが対応している。
【００１１】
そして、上記正面板ｂとこの正面板ｂに連接する補強フラップｈとに糊を供給するための糊版ｒの転写パターンは略枠状としていて、図７に示すように透孔ｎの位置を内側にし、かつ糊ｍを補強フラップｈとこの補強フラップｈが対応する正面板ｂとの対向面に跨るようにして転写塗布している。その他の側面板ｃとこれに連接している補強フラップｈとには両対向面に跨るようにして糊ｍを面状のパターンで転写し、同じく背面板ｄとこれに連接している補強フラップｈとにその両対向面に跨るようにして糊ｍを面状のパターンで転写している。
このようにして糊が転写塗布されたブランクが糊供給機構の部分から送り出された後には、補強フラップｈの折り畳みをし、その折り畳まれた箇所を加圧ローラなどで挟み込んだ状態で圧力を加えることで補強フラップｈが胴部形成の面板の内面側に貼り付けられる。これによって透孔の位置から三方には正面板と補強フラップとの糊を介した貼り合わせ部分が連続して位置し、残り一方は折り罫となっていることから、カートン内部で折り畳まれた補強フラップの三方から収容物の粉洗剤が補強フラップと正面板との隙間に入り込むようなことが生じても、その粉洗剤は前記貼り合わせ部分に遮られて透孔に達することはなく、透孔からの粉洗剤の漏れ出しが防止される。
【００１２】
（パターン転写方法＋ガン吐出方式）
上記パターン転写方式での糊の供給では、補強フラップｈとこの補強フラップｈが連接している胴部の面板との対向面に糊ドラムの糊版から枠状や面状のパターンとして糊を転写塗布しているが、透孔を配している正面板とこの正面板に連接している補強フラップとの対向面部分を除くその他の対向面部分については、上述したガン吐出方法にて供給することも可能である。
この場合、ブランクの搬送路上に、糊ドラムからなる糊供給機構ｑとは別に複数のガンを配してなる上記糊供給機構ｋを配置し、透孔が配置されている正面板とこれに連接している補強フラップとの両対向面については糊ドラムの糊供給機構によるパターン転写で糊を供給し、その他の対向面の部分についてはガン吐出方法の糊供給機構ｋによってこの下にブランクａが対応したときに線状に糊を吐出供給する。
【００１３】
これによって図８に示すように、ブランクａにおいて、正面板ｂとこれに連接する補強フラップｈとの両対向面には枠状にして糊ｍがパターン転写され、ガン吐出方法での糊供給機構ｋによって、側面板ｃとこれに連接する補強フラップｈとの両対向面に跨るようにして、また背面板ｄとこれに連接する補強フラップｈとの両対向面に跨るようにして、線状に糊ｉが塗布される。
この後ブランクａに対しては補強フラップｈの折り畳みをし、その折り畳まれた箇所を加圧ローラなどで挟み込んだ状態で圧力を加えることで補強フラップｈが胴部形成の面板の内面側に貼り付けられる。
【００１４】
上記パターン転写方法＋ガン吐出方法による接着剤の供給では、ブランクを送りチェーンにて間隔を一定にしながら搬送移動させるものとしたが、前記送りチェーンを用いずに上述したベルトによってブランクを順次一枚ずつ送り出すようにすることも可能である。この場合、送り出されてきたブランクの位置を光学センサで検出し、その位置情報に基づいてタイミングを合わせながら糊ドラムの回転をブランクごとに制御して糊のパターン転写を行ない、ガンの吐出動作もブランクごとに制御して糊の供給を行なう。
【特許文献１】特開２００６−３３４９２４号公報
【特許文献２】特開昭５８−０７８７４１号公報
【特許文献３】特開平１０−１２８８７６号公報
【発明の開示】
【発明が解決しようとする課題】
【００１５】
（糊のパターン転写での問題）
糊ドラムを利用する糊供給機構糊での糊の供給方法、即ち、上記パターン転写方法、そしてパターン転写方法とガン吐出方法とを組合わせた上記方法によって糊をブランクに供給する方法では、上述のように正面板の透孔の位置を囲むパターンにして糊を供給しており、特定の形状に合わせて糊をブランクに供給できる。
しかしながら、糊のパターン転写によりブランクに糊を供給するこの方法では、糊の消費量が多くなるという問題がある。また、図９に示すようにパターン転写を繰り返していくうちにブランクに糊を移す糊ドラムｓの糊版ｒのエッジ部分に、糊溜りｔが徐々に発生してしまう。よって、適正なパターンで糊が転写されるようにするために定期的にスリーブ製造ラインを止めて、糊ドラムの糊版を清浄にするメンテナンスが必要となる。
さらに、スリーブ製造の作業の終業から再びその作業を始業するまでの間、例えば、夜間時にスリーブ製造ラインの稼動を止めている場合には、稼動停止時に糊供給機構から糊壷を取り外して糊壷自体を清浄にしており、糊壷で糊が固着してしまうのを防止する必要がある。そして、ラインの再稼動に際して清浄な糊壷をセットし新規な糊を糊壷に充填している。このようにスリーブ製造の作業が終業した時点で糊壷を清浄にする手間が発生している。
【００１６】
また、糊ドラムを一定回転させている上述の方法の場合、その糊ドラムの回転にタイミングに合わせるという条件の下でブランクを一定間隔で搬送させているので、ブランクの送り間隔を詰めた状態で搬送することができず、また、位置出し爪を配した送りチェーンを利用してブランクを配送しているため、ブランクの送り間隔を詰めることができず、よって製造能率が上がらないという問題がある。
この問題に応じて糊ドラムの回転スピードを高くすることが考えられるが、そのようにすると糊版上の糊に加わる遠心力が大きくなって糊跳ねが発生し易くなり、スリーブ内側に接着し、収容物の充填時にスリーブが開かなくなること等の内糊不良が発生し、また、ブランクに散った糊が付いて汚れてスリーブの品質が落ちるという不具合がある。そして、送りチェーンを用いずに上述のベルトによってブランクの送り間隔を詰めること自体は可能であるが、ベルト搬送でブランクの送り間隔を詰めると、糊ドラムの回転スピードを高くすることになり、同じように糊跳ねが発生し易くなる。
【００１７】
（ガン吐出方法での問題）
糊のパターン転写方法に比べてガン吐出方法により糊をブランクに供給する場合には、ブランクの必要部分に塗られる糊は線状になるため、糊の消費量は小さくなる。また、ブランクを搬送路上で一方向に搬送する場合に送りチェーンによることなくベルトによる搬送方式を採用すれば、送り間隔を小さくすることができる。
そして、移動してくるブランクの位置を光学的センサにて検知し、その位置に基づきながらガン下にブランクが対応したときに吐出供給するように糊供給機構の動作を設定することで、送り間隔を小さくしてもブランクそれぞれに糊の供給が可能となる。さらに、上記糊溜りという不具合は生じずにメンテナンスが容易となる。これに加えて糊の供給タンクからガンのノズルまでの行程を外部に開放せずに閉じたものとすることで糊の変化を防止できるため、糊自体の管理も容易になる。
【００１８】
しかしながら、上述したようにガン吐出方法は、ブランクに対してブランクの搬送方向に沿った線状にして糊を塗布するものであるため、移動しているブランクに対しては、搬送方向に直交する方向に線状にして糊の塗布ができず、よって、搬送方向に直交する方向にしてブランクに連続した貼り合わせ部分を設けることができないという問題がある。
【００１９】
そこで本発明は上記事情に鑑み、上記ガン吐出方法での利点を活かしながら、搬送方向に移動中のブランクに対して、ガンによってブランクの搬送方向に直交する直交方向に糊を塗布し、ブランクの搬送方向に直交する方向に沿って連続する貼り合わせ部分が得られるようにすることを課題とし、上記ブランクでの透孔を補強フラップの貼り合わせで覆い、その透孔から収容物の漏れ出しを防止するカートンを得ることを目的とするものである。
【課題を解決するための手段】
【００２０】
本発明は上記課題を考慮してなされたもので、面板とこの面板に折り罫を介して折り重ね可能に連接された重ね面板とを有するカートン用のブランクが一方向に順次搬送され、搬送されるブランクの前記面板と前記重ね面板とを折り重ねしたときに対向する対向面に設けた糊塗布予定部に、前記面板と前記重ね面板との折り重ねをして貼り合わせるための糊を塗布する糊塗布装置であって、ブランクが搬送される搬送路上に位置してこの搬送路側に向けて糊の吐出が可能なガンと、ブランクの前記糊塗布予定部におけるブランク搬送方向に直交する直交方向での何れか一方の端部に対応して前記ガンを位置させ、前記糊塗布予定部のブランク搬送方向での移動に同期して前記ガンをブランク搬送方向に移動させるとともに、前記糊塗布予定部のもう一方の端部に対応する位置まで前記ガンを前記直交方向に移動させる移動支持手段とを備えて、ブランク搬送方向に移動中のブランクの糊塗布予定部に、前記ガンからの糊の吐出により糊塗布予定部での前記直交方向に沿って線状にして糊を塗布する構成としたことを特徴とする糊塗布装置であり、この糊塗布方法を提供して上記課題を解消するものである。
【００２１】
また、もう一つの発明は、面板とこの面板に折り罫を介して折り重ね可能に連接された重ね面板とを有するカートン用のブランクが一方向に順次搬送され、搬送されるブランクの前記面板と前記重ね面板とを折り重ねしたときに対向する対向面に設けた糊塗布予定部に、前記面板と前記重ね面板との折り重ねをして貼り合わせるための糊を塗布する糊塗布方法であって、前記糊塗布予定部はブランク搬送方向に直交する直交方向に沿っていて、前記ブランクが搬送される搬送路上に、この搬送路側に向けて糊の吐出が可能なガンと、ブランクの前記糊塗布予定部における前記直交方向での何れか一方の端部に対応して前記ガンを位置させ、前記糊塗布予定部のブランク搬送方向での移動に同期して前記ガンをブランク搬送方向に移動させるとともに、前記糊塗布予定部のもう一方の端部に対応する位置まで前記ガンを前記直交方向に移動させる移動支持手段とを配置して、ブランク搬送方向に移動中のブランクの糊塗布予定部に、前記ガンからの糊の吐出により糊塗布予定部での前記直交方向に沿って線状にして糊を塗布することを特徴とする糊塗布方法であり、この糊塗布方法を提供して上記課題を解消するものである。
【発明の効果】
【００２２】
本発明によれば、糊を吐出するガンによりブランクの糊塗布予定部に糊を塗布するので、ブランクの搬送工程中での糊を塗布する部分より上流側で、従来のように光学センサによりブランクを検知し、その検知した情報に基づいて、糊を吐出する箇所にブランクが対応するときに糊を塗布されるようにガンの動作を制御する方法を採用することができる。そのため、送りチェーンによってブランクを搬送する搬送方法に限定されることなく搬送ベルトなどを利用した搬送方法が採用でき、そして、スリーブ作成作業においてブランクの搬送タイミングを切り換える必要が生じてもその切り換え作業が簡単となり、ブランクからスリーブを作成する作業の効率を向上させることができる。
また、ブランクの糊塗布予定部に対してガン自体をこの糊塗布予定部の搬送方向に直交する直交方向に沿わせて移動させることができるので、ブランクの品目毎に糊塗布予定部での前記直交方向の長さが異なる場合でも、設定の変更が容易となる。そして、ガンでの糊吐出のメリットである糊使用量の削減効果を活かして糊コストを下げることができる。
【発明を実施するための最良の形態】
【００２３】
つぎに本発明を図１と図２に示す実施の形態に基づいて詳細に説明する。
図中１は糊塗布装置で、ブランクａが搬送される図示しない搬送路の上方に配置されている。この糊塗布装置１は糊を搬送路側に向けて吐出する一本のガン２と、搬送路上で前記ガン２をブランク搬送方向Ｘとそのブランク搬送方向Ｘに直交する直交方向Ｙとに移動させる移動支持手段３とを備えてなるものである。
【００２４】
上記ガン２は、流動性がある液体の糊が図示しない糊タンク側から加圧された状態で送り込まれていて、ガン内での糊流路が開閉制御されることで間欠的に糊を吐出することが可能に設けられていて、ガン２が糊の連続吐出を行ない、かつガン下でこのガン２に対して相対的に一方向に移動する被塗布面に吐出された糊が当たることでその糊が直線状に塗布されることになる。
また、上記移動支持手段３は、図１に示すように搬送路上を上記直交方向Yに沿って横切る位置固定の横架台４に、この横架台４に沿って自走して直交方向Yに往復移動可能な駆動体５を組み付けているとともに、ブランク搬送方向Xを長手とした縦架台６が前記駆動体５に組み付けられ、この駆動体５がブランク搬送方向Ｘにおいて縦架台６の前進と後退とを行なうものである。そして、前記縦架台６に上記ガン２が取付固定されていて、図示しない制御手段での制御の下で駆動体５が横架台４に沿って移動しながら縦架台６を前進させたり、後退させたりすることによって、ガン２が搬送路上で斜め方向にも移動できるようにしている。
【００２５】
上述したように、糊塗布装置１では糊吐出を行なうガン２を、移動支持手段３によってブランク搬送方向Ｘに沿って直線状に往復移動させたり、直交方向Ｙに沿って直線状に往復移動させたり、さらに斜め方向にも往復移動できるようにしており、ブランク搬送方向Ｘと直交方向Ｙとの範囲とが定められた方形の糊塗布可能領域７の何れの位置でも糊の吐出が行なえるようにしている。そして、糊塗布装置１の前記糊塗布可能範囲７が搬送路上を搬送されているブランクａの糊塗布予定部８に対応するようにしてこの糊塗布装置１が配置されている。
【００２６】
上記糊塗布装置１から糊の供給を受けるブランクａは、上述したように正面板ｂ、側面板ｃ、背面板ｄの上辺に折り罫ｆを介して補強フラップｈが連接されていて、補強フラップｈを正面板ｂ、側面板ｃ、背面板ｄに折り重ねるものであり、正面板ｂとこの正面板ｂに連接されている補強フラップｈとを折り重ねたときの対向面となる部分の内、正面板ｂの対向面の中央となる部分に透孔ｎが開口されている（図１、図２、図５参照）。
さらに前記正面板ｂの対向面において、透孔ｎを間にして折り罫ｆとは反対側となる箇所に、上記糊塗布装置１から糊の供給を受ける糊塗布予定部８が設けられていて、この糊塗布予定部８は直交方向Ｙに沿った方向を長手とされ、この状態でブランクａが搬送されるようにしている。そして、正面板ｂと前記補強フラップｈとの間の折り罫ｆは同様に直交方向Ｙに沿った方向となっており、折り罫ｆと前記糊塗布予定部８とは平行である。
また、糊塗布予定部８の両端部と上記折り罫ｆとの間に亘って、ブランク搬送方向Ｘに沿う縦糊塗布予定部９が設けられていて、一つの糊塗布予定部８と二つの縦糊塗布予定部９と折り罫ｆとで透孔ｎの位置を囲むようにしている。これは後述するように、本発明での糊の塗布を行なうことで、補強フラップｈを正面板ｂの対向面部分に折り重ねた時に、補強フラップｈと正面板ｂとの糊を介在させた貼り合わせ部分が、その補強フラップｈと正面板ｂとの間において糊塗布予定部８の位置で連続し（直交方向Ｙで連続し）、かつ縦糊塗布予定部９の位置で連続し（ブランク搬送方向Ｘで連続し）て、その結果、三方の貼り合わせ部分と折り罫ｆとで透孔ｎの位置を囲み、カートン形態のときに収容されている粉洗剤などがカートン内部側から補強フラップと正面板との間に入り込むようなことがあっても透孔ｎの位置までには達しないカートンを得るようにしている。
なお、縦糊塗布予定部９への糊の供給は上記糊塗布装置１で行なうものではなく、この糊塗布装置１のブランク搬送方向Ｘでの上流側や下流側において、縦糊塗布予定部９が通過する位置に対応している図示しないガンにて糊の塗布を行なう。
【００２７】
糊塗布装置１でブランクａの上記糊塗布予定部８に糊を塗布するに際して、糊塗布予定部８の直交方向Ｙでの何れか一方の端部が通過する位置に対応するようにガン２が待機停止しており、糊塗布装置１の上流側で光学センサなどでブランクａが検知されると、その検知された情報に基づいてガン下に糊塗布予定部８の前記一方の端部が達するときにガン２の糊吐出が開始されて糊塗布予定部８の前記端部に糊が塗布され始めるようにしている。さらに、糊吐出の開始と同時に、上記移動支持手段３の制御された駆動体５の動作によって、前記ガン２が、糊塗布予定部８のブランク搬送方向Ｘでの移動に合わせながら糊塗布予定部８のもう一方の端部に向けて移動し、その移動の間、糊塗布予定部８に対応しながら糊吐出を継続するように設けられている。
即ち、ガン２が、糊塗布予定部８のブランク搬送方向Ｘの移動に同期してブランク搬送方向Ｘに移動するとともに、糊塗布予定部８のもう一方の端部に対応する位置に向けて直交方向Ｙにも移動するようにしており、糊塗布予定部８の端部までに糊が塗布された時点で糊吐出を停止する。これによって、直線状とした糊塗布予定部８に線状にして糊が塗布される。
【００２８】
上記糊塗布装置１では、この糊塗布装置１に向けて順次搬送されてくるブランクａの糊塗布予定部８ごとにガン２が上記斜め方向への一回の移動で糊の塗布を行なうようにしているが、本実施の例では、ブランクごとにガン２の待機が上述した位置で行なわれるようには制御されてはおらず、つぎのブランクの搬送が検知されるまでの間に、糊塗布予定部８のもう一方の端部が通過することになる位置まで移動して待機する。この次ブランクへの糊塗布に際して待機する位置は、上述のブランクへの糊塗布に際して待機していた位置に対して直交方向Ｙにおいて対向する位置としていて、駆動体５の制御された動作の下で縦架台６が、もう一方の端部が通過することになる直交方向Ｙ上での位置にあり、かつその縦架台６が後退されてガン２をブランク搬送方向Ｘ上での糊塗布開始位置に停止させる。このようにして待機しているガン２に、次ブランクの糊塗布予定部８でのもう一方の端部が対応するように移動してきた時点で再び糊吐出を開始するとともに、ガン２を、先ブランクでの糊塗布の場合とはブランク搬送方向Ｘと直交方向Ｙでの動きが逆となるようにして移動させて、次ブランクの糊塗布予定部８に対して線状に糊の塗布を行なう。
図２においてガン２の移動の動作を概略的に示していて、Ａは先ブランクでの糊吐出時の移動、Ｂは待機位置への移動、Ｃは次ブランクでの糊吐出時の移動、Ｄは待機位置への移動であり、Ａ→Ｂ→Ｃ→Ｄのサイクルを繰り返す動作の下で、順次搬送されてくるブランクの糊塗布予定部８に糊を線状に塗布する。
【００２９】
ブランクａの搬送路上では、上記糊塗布装置１によってブランクａの直交方向Ｙに沿う糊予定部８に線状にして糊が塗布され、また、上記縦糊塗布予定部９に対しても糊が線状にして糊が塗布される。この後、正面板ｂに連接されている補強フラップｈが折り罫ｆの位置から正面板ｂに折り重ねされ、加圧ローラなどにより加圧することで、糊塗布予定部８の線状の糊を介在させた連続の貼り合わせ部分と縦糊塗布予定部９の線状の糊を介在させた連続の貼り合わせ部分と折り罫ｆとで上記透孔ｎの位置を取り囲むようにしている。糊塗布予定部８での糊と縦糊塗布予定部９での糊は直接接触するように塗布する必要はなく、折り合わせして加圧するときにそれぞれの糊が伸展して伸展範囲が重なるようにすればよい。
正面板ｂ以外の面板と補強フラップとを貼り合わせるために、図示しない固定位置にあるガンから糊が塗布されていて、これらの補強フラップそれぞれも対向する面板に貼り合わされるようにしている。
【図面の簡単な説明】
【００３０】
【図１】本発明における糊塗布方法の一例を実施する糊装置装置と搬送されるブランクとを示す説明図である。
【図２】本発明の方法により糊が塗布されたブランクを示す説明図である。
【図３】従来のガン吐出方法により接着剤が供給されたブランクを示す説明図である。
【図４】ガン吐出方法で接着剤を供給するときのブランクの搬送を概略的に示す説明図である。
【図５】透孔を開口したブランクを示す説明図である。
【図６】パターン転写方式におけるブランクの搬送を概略的に示す説明図である。
【図７】パターン転写方式における接着剤塗布が行なわれたブランクを示す説明図である。
【図８】パターン転写方式とガン方式とによる接着剤塗布が行なわれたブランクをを示す説明図
【図９】糊版エッヂ部分の糊溜りを示す説明図である。
【符号の説明】
【００３１】
１…糊塗布装置
２…ガン
３…移動支持手段
４…横架台
５…駆動体
６…縦架台
７…糊塗布可能領域
８…糊塗布予定部
９…縦糊塗布予定部
Ｘ…ブランク搬送方向
Ｙ…ブランク搬送方向に直交する直交方向
ａ…ブランク
ｂ…正面板
ｈ…補強フラップ
ｎ…透孔
【図１】
2008273143.tif 000003
【図２】
2008273143.tif 000004
【図３】
2008273143.tif 000005
【図４】
2008273143.tif 000006
【図５】
2008273143.tif 000007
【図６】
2008273143.tif 000008
【図７】
2008273143.tif 000009
【図８】
2008273143.tif 000010
【図９】
2008273143.tif 000011